(57)【特許請求の範囲】
【請求項１】
高強度合成樹脂製繊維からなる多数本の細線を並列に結集して形成された子縄と、
集束された複数本の上記子縄の外周面を覆って形成され、上記子縄を形成する高強度合成樹脂及び該高強度合成樹脂と同系統の合成樹脂材料と、高強度繊維とを組み合わせた表面被覆層と、
上記子縄を形成する高強度合成樹脂及び該高強度合成樹脂と同系統の合成樹脂材料のいずれかからなるミクロンサイズの細線によって製作されて、集束された複数本の上記子縄と上記表面被覆層との間に形成された外層強度部材と、
を備え、
上記外層強度部材は、上記表面被覆層の材料の溶融温度よりも低い溶融温度特性を有する材料を使用した粘着的手段によって並列に結集されていることを特徴とする巻上用ロープ。
【請求項２】
上記高強度繊維を、高強度金属繊維が混入されて成形されたものとしたことを特徴とする請求項１記載の巻上用ロープ。
【請求項３】
上記高強度繊維を、網目状に構成して編み込み、上記表面被覆層と一体化されたものとしたことを特徴とする請求項１記載の巻上用ロープ。
【発明の詳細な説明】
技術分野
この発明は、合成樹脂製繊維からなる多数本の細線を並列に結集して形成された子縄、この子縄の複数本が集束された合成繊維ロープからなり吊持体を牽引する巻上用ロープに関する。
背景技術
図２及び図３は、例えば特開平７−２６７５３４号公報に示されている従来の巻上用ロープを示す図で、図２は巻上用ロープの吊設状態を示すエレベーターの概念的立面図、図３は図２の巻上用ロープの拡大横断面図である。
図において、１はエレベーターの巻上機に設けられた駆動綱車、２は駆動綱車１に巻掛けられた合成繊維ロープからなる巻上用ロープで、一端にエレベーターのかごからなる第一吊持体３、他端につり合おもりからなる第二吊持体４が連結されている。
５は巻上用ロープ２の主要強度部材を構成する子縄で、高強度合成樹脂製繊維のミクロンサイズの細線を多数本、縒り合わせたり、粘着的手段によって並列に結集したりして形成される。
６は被覆材で、ウレタンや、ポリエチレンなどの合成樹脂材からなり、集束された複数本の子縄５の集束形態維持と、エレベーターの運転により巻上用ロープ２が駆動綱車１において繰り返し屈伸することによって発生する子縄５の外周面における高強度合成樹脂製繊維の細線の磨耗を防ぐために、集束された複数本の子縄５の外周を被覆して設けられている。
上記のように構成された巻上用ロープにおいて、集束された子縄５の外周面に対する被覆材６の密着状況が不十分であるために、被覆材６が子縄５との間でずれが生じて子縄５の集束形状が変形したり、また子縄５との間での微小滑りのために被覆材６が損耗したりして強度が低下するという問題点があった。
発明の開示
本発明は、高強度合成樹脂製繊維の多数本の細線を並列に結集して子縄を形成し、集束された複数本の子縄の外周面を覆う耐磨耗性合成樹脂材製の表面被覆層を有する巻上用ロープによって吊持体を牽引するものである。これによって、子縄と表面被覆層との密着性が向上して吊持体を駆動綱車を介して牽引する巻上用ロープの強度低下が減少して吊持信頼性を向上することができる。
また、本発明は、子縄を形成する高強度合成樹脂及び高強度合成樹脂と同系統の合成樹脂材料のいずれかからなるミクロンサイズの細線によって製作された外層強度部材が、集束された複数本の子縄と表面被覆層との間に形成された巻上用ロープによって吊持体を牽引するものである。これによって、子縄の他に強度部材が増強されて巻上用ロープの強度を増すことができる。
また、本発明は、高強度繊維が混入されて成形された表面被覆層を有する巻上用ロープによって吊持体を牽引するものである。これによって、表面被覆層の強度が向上して巻上用ロープの強度を増すことができる。
また、本発明は、子縄を形成する高強度合成樹脂繊維と同じ材料からなる高強度繊維が混入されて成形された表面被覆層を有する巻上用ロープによって吊持体を牽引するものである。これによって、表面被覆層の強度が向上して巻上用ロープの強度を増すことができる。
また、本発明は、高強度金属繊維が混入されて成形された表面被覆層を有する巻上用ロープによって吊持体を牽引するものである。これによって、表面被覆層の強度が向上して巻上用ロープの強度を増すことができる。
また、本発明は、高強度繊維が網目状に構成されて編み込まれて一体化された表面被覆層を有する巻上用ロープによって吊持体を牽引するものである。これによって、表面被覆層の強度が向上して巻上用ロープの強度を増すことができ、また表面被覆層及び子縄の伸び特性を均一化できて、また耐磨耗性が向上して長寿命化でき吊持信頼性を向上することができる。
また、本発明は、表面被覆層の材料の溶融温度よりも低い溶融温度特性を有する材料を使用した粘着的手段によって並列に結集された外層強度部材を有する巻上用ロープによって吊持体を牽引するものである。これによって、表面被覆層と外層強度部材の密着強度を向上することができ、巻上用ロープの複数本の子縄の集束形態維持、すなわち形崩れを防止できて、寿命低下を防ぐことができ吊持信頼性を向上することができる。
発明を実施するための最良の形態
本発明の第一の実施の形態をより詳細に説述するために、添付の図面に従ってこれを説明する。すなわち、図１において、７は合成繊維ロープからなる巻上用ロープ２の主要強度部材を構成する子縄で、高強度合成樹脂製繊維のミクロンサイズの細線を多数本、縒り合わせたり、粘着的手段によって並列に結集したりし形成される。
８は集束された複数本の子縄７の外周面を覆うように配置された耐磨耗性合成樹脂材製の表面被覆層で、子縄７を形成する高強度合成樹脂と同じか又は同系統の合成樹脂材料によって製作される。
また、表面被覆層８はケブラー（商品名）などのアラミド、カーボン、またザイロン（商品名）などのＰＢＯ樹脂からなる高強度繊維９を混入して高強度化される。また、他の高強度繊維９として高強度金属繊維、すなわち炭素鋼を焼入れしたワイヤや、ウイスカーなどの単結晶材を使用することもできる。
また、表面被覆層８に混入される高強度繊維９と、子縄７を形成する高強度合成樹脂繊維の伸び特性が異なる場合は、表面被覆層８に混入されて一体化される高強度繊維９を網目状に構成して編み込み、編み込まれた網目状構成によって表面被覆層８及び子縄７の伸び特性を均一化できて、長寿命化でき吊持信頼性を向上することができる。
なお、表面被覆層８に混入される高強度繊維９は、子縄７を形成する高強度合成樹脂繊維と同じ材料であるか又は高強度繊維９混入によって強度向上を期待する場合には、巻上用ロープ２の長手に直線状態に並列に配置することによって子縄７と高強度繊維９との一体化、強度向上の目的を達成することができる。
しかし、表面被覆層８に混入される高強度繊維９が、子縄７を形成する高強度合成樹脂繊維と異なる材料であるか又は高強度繊維９混入によって耐磨耗性向上を期待する場合には、高強度繊維９を網目状に構成して編み込むことにより子縄７と高強度繊維９との一体化、耐磨耗性向上の目的を達成することができる。
１０は子縄７と表面被覆層８との間に形成された外層強度部材で、子縄７を形成する高強度合成樹脂と同じか又は同系統の合成樹脂材料からなるミクロンサイズの細線が縒り合わせたり、粘着的手段によって並列に結集したりして製作されて、集束された複数本の子縄７の外周面を囲んで形成される。これによって、子縄７の他に強度部材が追加されて増強され巻上用ロープ２の強度を増すことができる。
また、表面被覆層８の材料の溶融温度よりも低い溶融温度特性を有する材料を使用した粘着的手段によって外層強度部材１０を並列に結集する。これによって、外層強度部材１０に表面被覆層８を溶融コーティングするときの表面被覆層８と外層強度部材１０との密着強度を向上することができる。また、表面被覆層８と外層強度部材１０の密着強度を向上により、巻上用ロープ２の複数本の子縄７の集束維持、すなわち形崩れを防止できて、寿命低下を防ぐことができる。
産業上の利用可能性
以上のように、本発明にかかる巻上用ロープは、高強度合成樹脂製繊維の多数本の細線を並列に結集して子縄を形成し、集束された複数本の子縄の外周面を覆う耐磨耗性合成樹脂材製の表面被覆層が設けられる。これによって、子縄と表面被覆層との密着性が向上して吊持体を駆動綱車を介して牽引する巻上用ロープとして有用である。そして、形崩れが減少して強度を維持でき吊持信頼性を向上できるので吊持体を牽引するのに適している。
また、本発明にかかる巻上用ロープは、子縄を形成する高強度合成樹脂及び高強度合成樹脂と同系統の合成樹脂材料のいずれかからなるミクロンサイズの細線によって製作された外層強度部材が、集束された複数本の子縄と表面被覆層との間に形成される。これによって、子縄の他に強度部材が追加されて増強されて吊持体を駆動綱車を介して牽引する巻上用ロープとして有用である。そして、所要の強度が容易に得られて吊持信頼性を向上できるので吊持体を牽引するのに適している。
また、本発明にかかる巻上用ロープは、高強度繊維が混入されて成形された表面被覆層が設けられる。これによって、表面被覆層が強化されて吊持体を駆動綱車を介して牽引する巻上用ロープとして有用である。そして、所要の強度が容易に得られて吊持信頼性を向上できるので吊持体を牽引するのに適している。
また、本発明にかかる巻上用ロープは、子縄を形成する高強度合成樹脂繊維と同じ材料からなる高強度繊維が混入されて成形された表面被覆層が設けられる。これによって、表面被覆層が強化されて吊持体を駆動綱車を介して牽引する巻上用ロープとして有用である。そして、所要の強度が容易に得られて吊持信頼性を向上できるので吊持体を牽引するのに適している。
また、本発明にかかる巻上用ロープは、高強度金属繊維が混入されて成形された表面被覆層が設けられる。これによって、表面被覆層が強化されて吊持体を駆動綱車を介して牽引する巻上用ロープとして有用である。そして、所要の強度が容易に得られ吊持信頼性を向上できるので吊持体を牽引するのに適している。
また、本発明にかかる巻上用ロープは、高強度繊維が網目状に構成され編み込まれて一体化された表面被覆層が設けられる。これによって、表面被覆層が強化されて吊持体を駆動綱車を介して牽引する巻上用ロープとして有用である。そして、所要の強度が容易に得られ、また表面被覆層及び子縄の伸び特性を均一化できて、また耐磨耗性が向上して長寿命化でき吊持信頼性を向上することができるので、吊持体を牽引するのに適している。
また、本発明は、表面被覆層の材料の溶融温度よりも低い溶融温度特性を有する材料を使用した粘着的手段によって並列に結集された外層強度部材が設けられる。これによって、表面被覆層と外層強度部材との密着強度が向上して吊持体を駆動綱車を介して牽引する巻上用ロープとして有用である。そして、巻上用ロープの複数本の子縄の集束形態維持、すなわち形崩れを防止できて、寿命低下を防ぐことができ吊持信頼性を向上することができるので、吊持体を牽引するのに適している。
【図面の簡単な説明】
第１図は、この発明にかかる好ましい巻上用ロープの横断面を示す図である。
第２図は、従来の巻上用ロープの吊設状態を示すエレベーターの概念的立面図である。
第３図は第２図の巻上用ロープの拡大横断面図である。
【図１】
0004777597.tif 000002
【図２】
0004777597.tif 000003
【図３】
0004777597.tif 000004